(57)【要約】【課題】平均チャネル情報に基づく割り当て処理を行う場合において、平均チャネル情報の算出に伴う処理負荷を低減すること。【解決手段】無線基地局１００は、無線端末と無線基地局１００との間のチャネル品質を示すチャネル情報に基づいて複数の周波数リソースの何れかを無線端末に割り当てる処理部１２０を有する。処理部１２０は、複数の周波数リソースそれぞれのチャネル情報を周期的に取得し、取得したチャネル情報を周波数方向及び時間方向に平均化することで平均チャネル情報を算出し、チャネル情報及び平均チャネル情報に基づいて、周波数リソースの決定に使用する評価値を算出する。処理部１２０は、評価値の算出を省略可能な特定の時間帯において、複数の周波数リソースのうち一部の周波数リソースのチャネル情報を用いて平均チャネル情報を算出する、又は、平均チャネル情報の算出を省略する。【選択図】図２
2011010041.tif 000002
【特許請求の範囲】
【請求項１】
無線端末と自無線基地局との間のチャネル品質を示すチャネル情報に基づいて、複数の周波数リソースの何れかを前記無線端末に割り当てる割り当て処理部を有し、
前記割り当て処理部は、
前記複数の周波数リソースそれぞれの前記チャネル情報を周期的に取得し、
前記取得したチャネル情報を周波数方向及び時間方向に平均化することで平均チャネル情報を算出し、
前記取得したチャネル情報と、前記算出した平均チャネル情報とに基づいて、前記無線端末に割り当てる周波数リソースの決定に使用する評価値を算出する無線基地局であって、
前記割り当て処理部は、前記評価値の算出を省略可能な特定の時間帯において、前記複数の周波数リソースのうち一部の周波数リソースの前記チャネル情報を用いて前記平均チャネル情報を算出する、又は前記平均チャネル情報の算出を省略する無線基地局。
【請求項２】
前記特定の時間帯とは、前記複数の周波数リソースの何れかを用いて前記無線端末と送受信すべきデータが存在しない時間帯である請求項１に記載の無線基地局。
【請求項３】
前記特定の時間帯とは、前記複数の周波数リソースのうち前記無線端末に割り当てられる周波数リソースが予約されている時間帯である請求項１に記載の無線基地局。
【請求項４】
前記無線基地局と前記無線端末との通信には、前方誤り訂正と自動再送制御とが併用されるハイブリッド自動再送制御が適用されており、
前記特定の時間帯とは、前記ハイブリッド自動再送制御に従って並列的に実行される再送処理の数が最大数に達している時間帯である請求項１に記載の無線基地局。
【請求項５】
前記割り当て処理部は、前記一部の周波数リソースの前記チャネル情報を用いて前記平均チャネル情報を算出する場合、前記一部の周波数リソースの前記チャネル情報を取得する請求項１〜請求項４の何れか一項に記載の無線基地局。
【請求項６】
前記割り当て処理部は、前記平均チャネル情報の算出を省略する場合、前記チャネル情報の取得を省略する請求項１〜請求項４の何れか一項に記載の無線基地局。
【請求項７】
前記割り当て処理部は、前記平均チャネル情報の算出を省略する場合において、前記平均チャネル情報の算出を省略した時間が所定時間継続すると、前記一部の周波数リソースの前記チャネル情報を用いて前記平均チャネル情報を算出する請求項１〜請求項６の何れか一項に記載の無線基地局。
【請求項８】
無線端末と自無線基地局との間のチャネル品質を示すチャネル情報に基づいて、複数の時間リソースの何れかを前記無線端末に割り当てる割り当て処理部を有し、
前記割り当て処理部は、
前記複数の時間リソースそれぞれの前記チャネル情報を取得し、
前記取得したチャネル情報を平均化することで平均チャネル情報を算出し、
前記取得したチャネル情報と、前記算出した平均チャネル情報とに基づいて、前記無線端末に割り当てる時間リソースの決定に使用する評価値を算出する無線基地局であって、
前記割り当て処理部は、前記評価値の算出を省略可能な特定の時間帯において、前記平均チャネル情報の算出を省略する無線基地局。
【請求項９】
無線端末と無線基地局との間のチャネル品質を示すチャネル情報に基づいて、複数の周波数リソースの何れかを前記無線端末に割り当てるリソース割り当て方法であって、
前記複数の周波数リソースそれぞれの前記チャネル情報を周期的に取得する取得ステップと、
前記取得ステップによって取得された前記チャネル情報を周波数方向及び時間方向に平均化することで平均チャネル情報を算出する第１算出ステップと、
前記取得ステップによって取得された前記チャネル情報と、前記第１算出ステップによって算出された前記平均チャネル情報とに基づいて、前記無線端末に割り当てる周波数リソースの決定に使用する評価値を算出する第２算出ステップとを備え、
前記第１算出ステップでは、前記第２算出ステップで前記評価値の算出を省略可能な特定の時間帯において、前記複数の周波数リソースのうち一部の周波数リソースの前記チャネル情報を用いて前記平均チャネル情報を算出する、又は前記平均チャネル情報の算出を省略するリソース割り当て方法。
【請求項１０】
無線端末と無線基地局との間のチャネル品質を示すチャネル情報に基づいて、複数の時間リソースの何れかを前記無線端末に割り当てるリソース割り当て方法であって、
前記複数の時間リソースそれぞれの前記チャネル情報を取得する取得ステップと、
前記取得ステップによって取得された前記チャネル情報を平均化することで平均チャネル情報を算出する第１算出ステップと、
前記取得ステップによって取得された前記チャネル情報と、前記第１算出ステップによって算出された前記平均チャネル情報とに基づいて、前記無線端末に割り当てる時間リソースの決定に使用する評価値を算出する第２算出ステップと
を備え、
前記第１算出ステップでは、前記第２算出ステップで前記評価値の算出を省略可能な特定の時間帯において、前記平均チャネル情報の算出を省略するリソース割り当て方法。
【発明の詳細な説明】
【技術分野】
【０００１】
本発明は、周波数リソースや時間リソース等の無線リソースを無線端末に割り当てる無線基地局及びリソース割り当て方法に関する。
【背景技術】
【０００２】
無線通信システムにおいて、有限な無線リソース（周波数リソース又は時間リソース）を複数の無線端末に効率的に割り当てるために、無線基地局と無線端末との間のチャネル品質を考慮した割り当て処理が広く用いられている。具体的には、無線基地局は、チャネル品質を示すチャネル情報を無線リソース毎に取得し、取得したチャネル情報に基づく評価値を使用して、当該無線端末に割り当てる無線リソースを決定する。
【０００３】
近年では、このような割り当て処理の方式として、プロポーショナル・フェアネス方式が主流になりつつある（例えば、特許文献１参照）。プロポーショナル・フェアネス方式は、無線リソース毎のチャネル情報の平均値（以下、“平均チャネル情報”）に対する、無線リソース毎のチャネル情報の比（つまり、チャネル情報/平均チャネル情報）により表される評価値が大きい無線リソースを無線端末に優先的に割り当てる方式である。
【０００４】
プロポーショナル・フェアネス方式によれば、平均チャネル情報を評価値の計算に用いることで、無線リソースの割り当て機会を公平にしつつ、無線リソース毎のチャネル情報を評価値の計算に用いることで、無線端末に対してチャネル品質が良好な無線リソースを割り当ててスループットを向上させることができる。
【先行技術文献】
【特許文献】
【０００５】
【特許文献１】特開２００６−１５７３２３号公報
【発明の概要】
【発明が解決しようとする課題】
【０００６】
上述したプロポーショナル・フェアネス方式では、平均チャネル情報を評価値の計算に用いることで割り当て機会を公平にすることが可能であるが、無線リソース毎のチャネル情報の平均化により平均チャネル情報を計算する必要があるため、平均チャネル情報の計算に伴う無線基地局の処理負荷が大きくなる問題がある。
【０００７】
特に、無線基地局との通信を行うべき無線端末が多数存在する場合に、当該多数の無線端末それぞれについて平均チャネル情報を計算すると、無線基地局の処理負荷が膨大となる問題があった。
【０００８】
そこで、本発明は、平均チャネル情報に基づく割り当て処理を行う場合において、平均チャネル情報の算出に伴う処理負荷を低減できる無線基地局及びリソース割り当て方法を提供することを目的とする。
【課題を解決するための手段】
【０００９】
上述した課題を解決するために、本発明は以下のような特徴を有している。まず、本発明の第１の特徴は、無線端末（無線端末ＵＥ）と自無線基地局（無線基地局１００）との間のチャネル品質を示すチャネル情報に基づいて、複数の周波数リソースの何れかを前記無線端末に割り当てる割り当て処理部（処理部１２０）を有し、前記割り当て処理部は、前記複数の周波数リソースそれぞれの前記チャネル情報を周期的に取得し、前記取得したチャネル情報を周波数方向及び時間方向に平均化することで平均チャネル情報を算出し、前記取得したチャネル情報と、前記算出した平均チャネル情報とに基づいて、前記無線端末に割り当てる周波数リソースの決定に使用する評価値を算出する無線基地局（無線基地局１００）であって、前記割り当て処理部は、前記評価値の算出を省略可能な特定の時間帯において、前記複数の周波数リソースのうち一部の周波数リソースの前記チャネル情報を用いて前記平均チャネル情報を算出する、又は前記平均チャネル情報の算出を省略することを要旨とする。
【００１０】
このような特徴によれば、評価値の算出を省略可能な特定の時間帯において、複数の周波数リソースのうち一部の周波数リソースのチャネル情報を用いて平均チャネル情報を算出する、又は平均チャネル情報の算出を省略することにより、平均チャネル情報の算出に伴う処理負荷を低減できる。
【００１１】
本発明の上記の特徴において、前記特定の時間帯とは、前記複数の周波数リソースの何れかを用いて前記無線端末と送受信すべきデータが存在しない時間帯でもよい。
【００１２】
本発明の上記の特徴において、前記特定の時間帯とは、前記複数の周波数リソースのうち前記無線端末に割り当てられる周波数リソースが予約されている時間帯でもよい。
【００１３】
本発明の上記の特徴において、前記無線基地局と前記無線端末との通信には、前方誤り訂正と自動再送制御とが併用されるハイブリッド自動再送制御が適用されており、前記特定の時間帯とは、前記ハイブリッド自動再送制御に従って並列的に実行される再送処理の数が最大数に達している時間帯でもよい。
【００１４】
本発明の上記の特徴において、前記割り当て処理部は、前記一部の周波数リソースの前記チャネル情報を用いて前記平均チャネル情報を算出する場合、前記一部の周波数リソースの前記チャネル情報を取得してもよい。
【００１５】
本発明の上記の特徴において、前記割り当て処理部は、前記平均チャネル情報の算出を省略する場合、前記チャネル情報の取得を省略してもよい。
【００１６】
本発明の上記の特徴において、前記割り当て処理部は、前記平均チャネル情報の算出を省略する場合、前記平均チャネル情報の算出を省略した時間が所定時間継続すると、前記一部の周波数リソースの前記チャネル情報を用いて前記平均チャネル情報を算出してもよい。
【００１７】
本発明の第２の特徴は、無線端末（無線端末ＵＥ）と自無線基地局（無線基地局１００）との間のチャネル品質を示すチャネル情報に基づいて、複数の時間リソースの何れかを前記無線端末に割り当てる割り当て処理部（処理部１２０）を有し、前記割り当て処理部は、前記複数の時間リソースそれぞれの前記チャネル情報を取得し、前記取得したチャネル情報を平均化することで平均チャネル情報を算出し、前記取得したチャネル情報と、前記算出した平均チャネル情報とに基づいて、前記無線端末に割り当てる時間リソースの決定に使用する評価値を算出する無線基地局であって、前記割り当て処理部は、前記評価値の算出を省略可能な特定の時間帯において、前記平均チャネル情報の算出を省略することを要旨とする。
【００１８】
このような特徴によれば、評価値の算出を省略可能な特定の時間帯において、平均チャネル情報の算出を省略することにより、平均チャネル情報の算出に伴う処理負荷を低減できる。
【００１９】
本発明の第３の特徴は、無線端末と無線基地局との間のチャネル品質を示すチャネル情報に基づいて、複数の周波数リソースの何れかを前記無線端末に割り当てるリソース割り当て方法であって、前記複数の周波数リソースそれぞれの前記チャネル情報を周期的に取得する取得ステップと、前記取得ステップによって取得された前記チャネル情報を周波数方向及び時間方向に平均化することで平均チャネル情報を算出する第１算出ステップと、前記取得ステップによって取得された前記チャネル情報と、前記第１算出ステップによって算出された前記平均チャネル情報とに基づいて、前記無線端末に割り当てる周波数リソースの決定に使用する評価値を算出する第２算出ステップとを備え、前記第１算出ステップでは、前記第２算出ステップで前記評価値の算出を省略可能な特定の時間帯において、前記複数の周波数リソースのうち一部の周波数リソースの前記チャネル情報を用いて前記平均チャネル情報を算出する、又は前記平均チャネル情報の算出を省略することを要旨とする。
【００２０】
本発明の第４の特徴は、無線端末と無線基地局との間のチャネル品質を示すチャネル情報に基づいて、複数の時間リソースの何れかを前記無線端末に割り当てるリソース割り当て方法であって、前記複数の時間リソースそれぞれの前記チャネル情報を取得する取得ステップと、前記取得ステップによって取得された前記チャネル情報を平均化することで平均チャネル情報を算出する第１算出ステップと、前記取得ステップによって取得された前記チャネル情報と、前記第１算出ステップによって算出された前記平均チャネル情報とに基づいて、前記無線端末に割り当てる時間リソースの決定に使用する評価値を算出する第２算出ステップとを備え、前記第１算出ステップでは、前記第２算出ステップで前記評価値の算出を省略可能な特定の時間帯において、前記平均チャネル情報の算出を省略することを要旨とする。
【発明の効果】
【００２１】
本発明の特徴によれば、平均チャネル情報に基づく割り当て処理を行う場合において、平均チャネル情報の算出に伴う処理負荷を低減できる無線基地局及びリソース割り当て方法を提供できる。
【図面の簡単な説明】
【００２２】
【図１】本発明の実施形態に係る無線通信システムの概略構成図である。
【図２】本発明の実施形態に係る無線基地局の構成を示すブロック図である。
【図３】本発明の実施形態に係る平均チャネル情報の算出方法を説明するための図である。
【図４】本発明の実施形態に係る処理部が実行する割り当て処理の処理フロー１を示すフローチャートである。
【図５】本発明の実施形態に係る処理部が実行する割り当て処理の処理フロー１を示すフローチャートである。
【図６】その他の実施形態に係る平均チャネル情報の算出方法を説明するための図である。
【発明を実施するための形態】
【００２３】
次に、図面を参照して、本発明の実施形態を説明する。具体的には、（１）無線通信システムの概要、（２）無線基地局の構成、（３）処理フロー、（４）実施形態の効果、（５）その他の実施形態について説明する。以下の実施形態における図面の記載において、同一又は類似の部分には同一又は類似の符号を付している。
【００２４】
（１）無線通信システムの概要
図１は、本実施形態に係る無線通信システム１の概略構成図である。
【００２５】
本実施形態では、無線通信システム１は、多元接続方式として直交周波数分割多元接続（ＯＦＤＭＡ）方式又はシングルキャリア周波数分割多元接続（ＳＣ−ＦＤＭＡ）方式等のＦＤＭＡ方式を使用するＦＤＭＡ無線通信システムである。例えば、無線通信システム１は、3GPP (3rd Generation Partnership Project)で標準化されているＥ−ＵＴＲＡ (Evolved - Universal Terrestrial Radio Access)に基づく構成を有している。
【００２６】
無線通信システム１では、システム帯域をサブフレーム毎に複数の周波数リソース（サブチャネル）に分割して使用する。なお、Ｅ−ＵＴＲＡでは、各サブフレームにおける各周波数リソースは、リソース・ブロック（ＲＢ）と称される。
【００２７】
図１に示すように、無線通信システム１は、複数の無線端末ＵＥ１，ＵＥ２，ＵＥ３…、及び無線基地局１００を有する。なお、以下においては、無線端末ＵＥ１，ＵＥ２，ＵＥ３…のうちの１つを適宜「無線端末ＵＥ」と略記する。無線基地局１００は、サブフレーム毎に、無線端末ＵＥ１，ＵＥ２，ＵＥ３…それぞれに周波数リソースを割り当て、割り当てた周波数リソースを用いて無線通信を行う。
【００２８】
一般的に、無線基地局１００と無線端末ＵＥとの間のチャネル品質は周波数毎に異なる。そこで、無線基地局１００は、無線端末ＵＥに対してチャネル品質の良好な周波数リソースを優先的に割り当てる割り当て処理を行う。このような割り当て処理を無線端末ＵＥ１，ＵＥ２，ＵＥ３…それぞれについて行うことで、システム帯域を効率的に利用可能になる。
【００２９】
下りリンクについては、無線端末ＵＥは、無線基地局１００から受信する下り無線信号（具体的には、既知の信号系列であるパイロット信号）に基づいて、各周波数リソースのチャネル品質を測定する。無線端末ＵＥは、測定したチャネル品質を示すＣＱＩ（Channel Quality Indication）を周波数リソース毎かつサブフレーム毎に無線基地局１００に送信する。無線基地局１００は、無線端末ＵＥから受信したＣＱＩに基づいて周波数リソースの割り当て処理を行う。
【００３０】
上りリンクについては、無線基地局１００は、無線端末ＵＥから受信する上り無線信号（具体的には、既知の信号系列であるパイロット信号）に基づいて、チャネル品質をを示すＳＩＮＲ(Signal-to-Interference and Noise power Ratio)を周波数リソース毎かつサブフレーム毎に測定する。無線基地局１００は、測定したＳＩＮＲに基づいて周波数リソースの割り当て処理を行う。
【００３１】
本実施形態において、ＣＱＩ及びＳＩＮＲは、周波数リソースのチャネル品質（瞬時チャネル品質）を示すチャネル情報に相当する。
【００３２】
無線基地局１００は、下りリンク及び上りリンクそれぞれにおいて、プロポーショナル・フェアネス方式の割り当て処理を行う。無線基地局１００は、周波数リソース毎のチャネル情報を周波数方向及び時間方向に平均化することで得られた平均チャネル情報を用いて評価値を計算する。そして、無線基地局１００は、平均チャネル情報に対する周波数リソース毎のチャネル情報の比（つまり、周波数リソース毎のチャネル情報/平均チャネル情報）により表される評価値が大きい周波数リソースを無線端末ＵＥに優先的に割り当てる。
【００３３】
（２）無線基地局の構成
図２は、無線基地局１００の構成を示すブロック図である。
【００３４】
図２に示すように、無線基地局１００は、アンテナ部ＡＮＴ、送受信部１１０、処理部１２０、記憶部１３０、及び有線通信部１４０を有する。
【００３５】
送受信部１１０は、例えばＲＦ回路やＢＢ回路等を用いて構成され、アンテナ部ＡＮＴを介して無線信号の送受信を行うとともに、変調／復調や符号化／復号等を行う。
【００３６】
処理部１２０は、例えばＣＰＵを用いて構成され、無線基地局１００が具備する各種の機能を制御するとともに、各種の演算処理を行う。本実施形態において処理部１２０は、チャネル情報に基づいて複数の周波数リソースの何れかを無線端末ＵＥに割り当てる割り当て処理部を構成する。
【００３７】
記憶部１３０は、例えばメモリを用いて構成され、無線基地局１００の制御や演算処理等に用いられる各種の情報を記憶する。記憶部１３０は、送受信部１１０が送信すべき送信データを送信完了まで保持する送信バッファとしても機能する。有線通信部１４０は、バックホールネットワークを介して他の装置（無線基地局や制御装置）と通信する。
【００３８】
処理部１２０は、チャネル情報取得部１２１、平均チャネル情報算出部１２２、評価値算出部１２３、リソース割り当て決定部１２４、及び監視部１２５を有する。
【００３９】
チャネル情報取得部１２１は、周波数リソースＦ１，Ｆ２，Ｆ３…毎のチャネル情報をサブフレーム毎に（すなわち、周期的に）取得する。取得されるチャネル情報は、下りリンクにおける周波数リソース毎のチャネル情報でもよく、上りリンクにおける周波数リソース毎のチャネル情報でもよい。
【００４０】
図３の例では、サブフレーム１においてチャネル情報取得部１２１は、周波数リソースＦ１のチャネル情報Ｑ１１を取得し、周波数リソースＦ２のチャネル情報Ｑ２１を取得し、周波数リソースＦ３のチャネル情報Ｑ３１を取得している。
【００４１】
また、サブフレーム２においてチャネル情報取得部１２１は、周波数リソースＦ１のチャネル情報Ｑ１２を取得し、周波数リソースＦ２のチャネル情報Ｑ２１を取得し、周波数リソースＦ３のチャネル情報Ｑ３２を取得している。
【００４２】
サブフレーム３においてチャネル情報取得部１２１は、周波数リソースＦ１のチャネル情報Ｑ１３を取得し、周波数リソースＦ２のチャネル情報Ｑ２３を取得し、周波数リソースＦ３のチャネル情報Ｑ３３を取得している。
【００４３】
チャネル情報取得部１２１は、このような取得処理を無線端末ＵＥ１，ＵＥ２，ＵＥ３…それぞれについて行う。
【００４４】
平均チャネル情報算出部１２２は、図３に示すように、チャネル情報取得部１２１が取得したチャネル情報を周波数方向及び時間方向に平均化することで平均チャネル情報を算出する。
【００４５】
図３の例では、サブフレーム１において平均チャネル情報算出部１２２は、周波数リソースＦ１，Ｆ２，Ｆ３…のチャネル情報Ｑ１１，Ｑ２１，Ｑ３１…の平均値をサブフレーム１における平均チャネル情報１として算出している。算出された平均チャネル情報１は記憶部１３０に記憶される。
【００４６】
また、サブフレーム２において平均チャネル情報算出部１２２は、周波数リソースＦ１，Ｆ２，Ｆ３…のチャネル情報Ｑ１２，Ｑ２２，Ｑ３２…の平均値Ａを算出している。さらに、平均チャネル情報算出部１２２は、周波数方向の平均値Ａと、記憶部１３０に記憶されている平均チャネル情報１との平均値をサブフレーム２における平均チャネル情報２として算出する。算出された平均チャネル情報２は記憶部１３０に記憶される。
【００４７】
サブフレーム３において平均チャネル情報算出部１２２は、周波数リソースＦ１，Ｆ２，Ｆ３…のチャネル情報Ｑ１３，Ｑ２３，Ｑ３３…の平均値Ｂを算出している。さらに、平均チャネル情報算出部１２２は、周波数方向の平均値Ｂと、記憶部１３０に記憶されている平均チャネル情報２との平均値をサブフレーム３における平均チャネル情報３として算出する。算出された平均チャネル情報３は記憶部１３０に記憶される。
【００４８】
平均チャネル情報算出部１２２は、このような平均化処理を無線端末ＵＥ１，ＵＥ２，ＵＥ３…それぞれについて行う。平均化処理は、デシベル（ｄＢ）と真値との変換等の演算処理を伴うため、処理部１２０の処理負荷は大きいものとなる。
【００４９】
なお、記憶部１３０に記憶される平均チャネル情報は、平均チャネル情報算出部１２２により、サブフレーム毎に更新される。
【００５０】
評価値算出部１２３は、チャネル情報取得部１２１が取得したチャネル情報と、平均チャネル情報算出部１２２が算出した平均チャネル情報とに基づいて、無線端末ＵＥに割り当てる周波数リソースの決定に使用する評価値を周波数リソースＦ１，Ｆ２，Ｆ３…それぞれについて算出する。
【００５１】
図３の例では、サブフレーム１において評価値算出部１２３は、周波数リソースＦ１に対応する評価値として、チャネル情報Ｑ１１/平均チャネル情報１を算出する。評価値算出部１２３は、周波数リソースＦ２に対応する評価値として、チャネル情報Ｑ２１/平均チャネル情報１を算出する。評価値算出部１２３は、周波数リソースＦ３に対応する評価値として、チャネル情報Ｑ３１/平均チャネル情報１を算出する。
【００５２】
また、サブフレーム２において評価値算出部１２３は、周波数リソースＦ１に対応する評価値として、チャネル情報Ｑ１２/平均チャネル情報２を算出する。評価値算出部１２３は、周波数リソースＦ２に対応する評価値として、チャネル情報Ｑ２２/平均チャネル情報２を算出する。評価値算出部１２３は、周波数リソースＦ３に対応する評価値として、チャネル情報Ｑ３２/平均チャネル情報２を算出する。
【００５３】
サブフレーム３において評価値算出部１２３は、周波数リソースＦ１に対応する評価値として、チャネル情報Ｑ１３/平均チャネル情報３を算出する。評価値算出部１２３は、周波数リソースＦ２に対応する評価値として、チャネル情報Ｑ２３/平均チャネル情報３を算出する。評価値算出部１２３は、周波数リソースＦ３に対応する評価値として、チャネル情報Ｑ３３/平均チャネル情報３を算出する。
【００５４】
評価値算出部１２３は、このような評価値算出処理を無線端末ＵＥ１，ＵＥ２，ＵＥ３…それぞれについて行う。
【００５５】
なお、評価値算出部１２３は、時間方向に平均化されたチャネル情報（いわゆる、短期間平均チャネル情報）と、周波数方向及び時間方向に平均化された平均チャネル情報（長期間平均チャネル情報）とに基づいて評価値を算出してもよい。短期間平均チャネル情報とは、平均チャネル情報（いわゆる、長期間平均チャネル情報）よりも短い期間において平均化されたチャネル情報である。
【００５６】
リソース割り当て決定部１２４は、評価値算出部１２３が算出した評価値に基づいて、無線端末ＵＥ１，ＵＥ２，ＵＥ３…それぞれに割り当てる周波数リソースを決定する。図３の例では、各サブフレームにおいてリソース割り当て決定部１２４は、無線端末ＵＥ１，ＵＥ２，ＵＥ３…それぞれについて計算された周波数リソースＦｎの評価値を比較し、最も評価値が高い無線端末ＵＥに周波数リソースＦｎを割り当てる。
【００５７】
監視部１２５は、無線端末ＵＥ１，ＵＥ２，ＵＥ３…それぞれについて、評価値算出部１２３が評価値の算出を省略可能な（すなわち、周波数リソースの割り当てを決定する必要がない）特定の時間帯であるか否かを監視する。
【００５８】
特定の時間帯とは、例えば次の（ａ）〜（ｃ）の何れかである。
【００５９】
（ａ）周波数リソースを用いて無線端末ＵＥと送受信すべきデータ（ユーザデータ）が存在しないサブフレーム。
【００６０】
ダウンリンクについては、監視部１２５は、無線端末ＵＥ宛てのデータが記憶部１３０に記憶されているか否か監視することで、送受信部１１０から無線端末ＵＥに送信すべきデータが存在しないサブフレームを検出できる。アップリンクについては、無線端末ＵＥにおける送信バッファ量を無線端末ＵＥが通知し、監視部１２５が、無線基地局１００宛てのデータが無線端末ＵＥに記憶されているか否か監視することで、送受信部１１０が無線端末ＵＥから受信すべきデータが存在しないサブフレームを検出する。
【００６１】
（ｂ）無線端末ＵＥに割り当てられる周波数リソースが予約されているサブフレーム。
【００６２】
例えばＱｏＳ保証を目的として、特定の無線端末ＵＥに対して割り当てられる周波数リソースが一定時間間隔で予約されていることがある。監視部１２５は、そのようなリソース予約状況を監視することで、無線端末ＵＥに割り当てられる周波数リソースが予約されているサブフレームを検出する。
【００６３】
（ｃ）ハイブリッド自動再送制御（ＨＡＲＱ）プロセス数が最大数に達しているサブフレーム。
【００６４】
無線基地局１００と無線端末ＵＥとの通信には、前方誤り訂正（ＦＥＣ）と自動再送制御（ＡＲＱ）とが併用されるＨＡＲＱが適用されている。ＨＡＲＱプロセス数とは、ＨＡＲＱに従って並列的に実行される再送処理の数を意味する。ＨＡＲＱプロセス数が最大数に達しており、各プロセスにおいて次回の再送が可能になるまでの時間帯においては、リソースが割り当てられない。監視部１２５は、そのようなＨＡＲＱプロセスの進行状況を監視することで、ＨＡＲＱプロセス数が最大数に達しているサブフレームを検出する。
【００６５】
監視部１２５が上記特定の時間帯を検出した場合、チャネル情報取得部１２１は、検出された特定の時間帯において、一部の周波数リソースのチャネル情報を取得する、又はチャネル情報の取得を省略する。一部の周波数リソースとは、例えば、周波数リソースＦ１，Ｆ２，Ｆ３…を所定周波数間隔で間引いた残りの周波数リソース（一例として、周波数リソースＦ１，Ｆ１０，Ｆ２０…）である。
【００６６】
監視部１２５が上記特定の時間帯を検出した場合、平均チャネル情報算出部１２２は、一部の周波数リソースのチャネル情報を用いて平均チャネル情報を算出する、又は平均チャネル情報の算出を省略する。平均チャネル情報の算出を省略する場合には、前サブフレームで算出した平均チャネル品質を流用してもよい。
【００６７】
平均チャネル情報の算出を省略する方が、一部の周波数リソースのチャネル情報を用いて平均チャネル情報を算出する場合よりも処理負荷を低減できる。ただし、平均チャネル情報の算出には、上述したように、過去の平均チャネル情報が用いられるため、平均チャネル情報の算出を省略し続けることは余り好ましくない。
【００６８】
したがって、平均チャネル情報算出部１２２は、上記特定の時間帯においても、ある程度の頻度で、一部の周波数リソースのチャネル情報を用いて平均チャネル情報を算出するものとする。すなわち、平均チャネル情報算出部１２２は、平均チャネル情報の算出を省略した時間が所定時間継続すると、一部の周波数リソースのチャネル情報を用いて平均チャネル情報を算出する。
【００６９】
（３）処理フロー
次に、処理部１２０が実行する割り当て処理の処理フロー１，２について説明する。
【００７０】
処理フロー１は、監視部１２５が上記特定の時間帯を検出した場合に、平均チャネル情報算出部１２２が一部の周波数リソースのチャネル情報を用いて平均チャネル情報を算出する処理フローである。
【００７１】
処理フロー２は、監視部１２５が上記特定の時間帯を検出した場合に、平均チャネル情報算出部１２２が平均チャネル情報の算出を省略する処理フローである。
【００７２】
上述したように、処理フロー１，２は個別に実行する場合に限らず、適宜切り替えて実行可能である。
【００７３】
（３．１）処理フロー１
図４は、割り当て処理の処理フロー１を示すフローチャートである。処理フロー１は、サブフレーム単位で実行される。
【００７４】
無線端末ＵＥについて監視部１２５が上記特定の時間帯を検出していない場合（ステップＳ１１；ＮＯ）、ステップＳ１２においてチャネル情報取得部１２１は、周波数リソースＦ１，Ｆ２，Ｆ３…それぞれのチャネル情報を取得する。
【００７５】
ステップＳ１３において、平均チャネル情報算出部１２２は、チャネル情報取得部１２１が取得したチャネル情報を周波数方向及び時間方向に平均化することで平均チャネル情報を算出する。
【００７６】
ステップＳ１４において、評価値算出部１２３は、チャネル情報から割り当て判断用のメトリック（分子に相当する部分）を算出するとともに、平均チャネル情報算出部１２２が算出した平均チャネル情報と当該メトリックに基づいて周波数リソースＦ１，Ｆ２，Ｆ３…それぞれの評価値を算出する。
【００７７】
一方、無線端末ＵＥについて監視部１２５が上記特定の時間帯を検出している場合（ステップＳ１１；ＹＥＳ）、ステップＳ１５においてチャネル情報取得部１２１は、一部の周波数リソース（例えばＦ１，Ｆ２０，Ｆ３０…）についてのチャネル情報を取得する。
【００７８】
ステップＳ１６において、平均チャネル情報算出部１２２は、チャネル情報取得部１２１が一部の周波数リソースについて取得したチャネル情報を周波数方向及び時間方向に平均化することで平均チャネル情報を算出する。算出された平均チャネル情報は記憶部１３０に記憶され、次サブフレームでの平均チャネル情報の算出に使用される。なお、ステップＳ１６の後においては評価値の算出が省略される。
【００７９】
無線端末ＵＥ１，ＵＥ２，ＵＥ３…の全てについて処理が完了した場合（ステップＳ１７；ＹＥＳ）、リソース割り当て決定部１２４は、評価値算出部１２３が算出した評価値を使用して周波数リソースの割り当てを行う。無線端末ＵＥ１，ＵＥ２，ＵＥ３…の全てについて処理が完了していない場合（ステップＳ１７；ＮＯ）、ステップＳ１１に処理が戻る。
【００８０】
（３．２）処理フロー２
図５は、割り当て処理の処理フロー２を示すフローチャートである。
【００８１】
処理フロー２では、無線端末ＵＥについて監視部１２５が上記特定の時間帯を検出している場合（ステップＳ２１；ＹＥＳ）において、チャネル情報取得部１２１がチャネル情報の取得を省略し、平均チャネル情報算出部１２２が平均チャネル情報の算出を省略する点で処理フロー１とは異なる。その他の点については、処理フロー１と同様である。
【００８２】
（４）実施形態の効果
以上説明したように、平均チャネル情報算出部１２２は、評価値の算出を省略可能な特定の時間帯において、複数の周波数リソースのうち一部の周波数リソースのチャネル情報を用いて平均チャネル情報を算出する、又は平均チャネル情報の算出を省略する。これにより、平均チャネル情報の算出に伴う処理負荷を低減できる。
【００８３】
また、無線端末ＵＥと送受信すべきデータが存在しないサブフレームを上記特定の時間帯とすることで、無線端末ＵＥと送受信すべきデータが存在しないサブフレームにおける処理部１２０の処理負荷を低減できる。
【００８４】
同様に、無線端末ＵＥに割り当てられる周波数リソースが予約されているサブフレームを上記特定の時間帯とすることで、無線端末ＵＥに割り当てられる周波数リソースが予約されているサブフレームにおける処理部１２０の処理負荷を低減できる。
【００８５】
さらに、ＨＡＲＱプロセス数が最大数に達しているサブフレームを上記特定の時間帯とすることで、ＨＡＲＱプロセス数が最大数に達しているサブフレームにおける処理部１２０の処理負荷を低減できる。
【００８６】
本実施形態では、平均チャネル情報算出部１２２が一部の周波数リソースのチャネル情報を用いて平均チャネル情報を算出する場合、チャネル情報取得部１２１が当該一部の周波数リソースのチャネル情報を取得する。これにより、全部の周波数リソースのチャネル情報を取得するよりも処理部１２０の処理負荷を低減できる。
【００８７】
本実施形態では、平均チャネル情報算出部１２２が平均チャネル情報の算出を省略する場合、チャネル情報取得部１２１がチャネル情報の取得を省略することによって、処理部１２０の処理負荷をさらに低減できる。
【００８８】
本実施形態では、平均チャネル情報算出部１２２は、平均チャネル情報の算出を省略した時間が所定時間（例えば５サブフレーム程度）継続すると、一部の周波数リソースのチャネル情報を用いて平均チャネル情報を算出する。平均チャネル情報の算出には、過去の平均チャネル情報が用いられるため、上記特定の時間帯においても、ある程度の頻度で平均チャネル情報を算出することで、平均チャネル情報の精度低下を抑制できる。
【００８９】
（５）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００９０】
（５．１）変更例１
上述した実施形態では、無線通信システム１がＯＦＤＭＡ又はＳＣ−ＦＤＭＡを使用するＦＤＭＡ無線通信システムであると説明したが、割り当て処理にプロポーショナル・フェアネス方式を用いる無線通信システムであれば、他の無線通信システムに本発明を適用可能である。以下、図６を参照して、cdma2000 nx evolution - data only (以下、“ＥＶ−ＤＯ”) に本発明を適用した場合の無線基地局１００の動作を説明する。ＥＶ−ＤＯでは、周波数リソースがスロットと呼ばれる時間リソース（例えば１／６００秒）に区切られており、当該スロットが無線端末ＵＥに割り当てられる。
【００９１】
無線基地局１００は、無線端末ＵＥから受信するＤＲＣに基づいて、スロットを無線端末ＵＥに効率的に割り当てるための割り当て処理を行う。具体的には、無線基地局１００は、無線端末ＵＥ１，ＵＥ２，…それぞれについて、過去一定スロットの期間の平均伝送速度Ｒと、瞬時の伝送速度ＤＲＣとからＤＲＣ／Ｒを評価値として計算し、当該評価値が最も大きい無線端末にスロットを割り当てる。伝送速度はチャネル品質を反映しており、本変更例において、瞬時の伝送速度はチャネル情報に相当し、平均伝送速度Ｒは平均チャネル情報に相当する。
【００９２】
このような無線通信システムにおいて、無線基地局１００の処理部１２０は、無線端末ＵＥと無線基地局１００との間のチャネル品質を示すチャネル情報に基づいて、複数の時間リソースの何れかを無線端末ＵＥに割り当てる。処理部１２０は、複数の時間リソースそれぞれのチャネル情報を取得し、取得したチャネル情報を平均化することで平均チャネル情報を算出し、取得したチャネル情報と、算出した平均チャネル情報とに基づいて、無線端末ＵＥに割り当てる時間リソースの決定に使用する評価値を算出する。そして、処理部１２０は、評価値の算出を省略可能な特定の時間帯において、平均チャネル情報の算出を省略する。
【００９３】
（５．２）変更例２
上述した実施形態では、プロポーショナル・フェアネス方式の割り当て処理について説明したが、平均チャネル情報を使用する方式であれば、プロポーショナル・フェアネス方式の割り当て処理に本発明を適用してもよい。
【００９４】
（５．３）変更例３
上述した実施形態では、監視部１２５が上記特定の時間帯を検出した場合に、チャネル情報取得部１２１が一部の周波数リソースのチャネル情報を取得していたが、全周波数リソースのチャネル情報を取得してもよい。この場合、平均チャネル情報算出部１２２は、全周波数リソースのチャネル情報の中から一部のチャネル情報のみを用いて平均チャネル情報を算出する。
【００９５】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００９６】
ＡＮＴ…アンテナ部、ＵＥ…無線端末、１…無線通信システム、１００…無線基地局、１１０…送受信部、１２０…処理部、１２１…チャネル情報取得部、１２２…平均チャネル情報算出部、１２３…評価値算出部、１２４…決定部、１２５…監視部、１３０…記憶部、１４０…有線通信部
【図１】
2011010041.tif 000003
【図２】
2011010041.tif 000004
【図３】
2011010041.tif 000005
【図４】
2011010041.tif 000006
【図５】
2011010041.tif 000007
【図６】
2011010041.tif 000008